(57)【特許請求の範囲】
【請求項１】
一体化されているプラスチック成形品であって、弾球遊技機の外枠に収容されて遊技盤、発射装置及び遊技球払出装置を保持する弾球遊技機の中枠において、
前記遊技盤の高さを上回る縦長と前記遊技盤の巾以上の横長とを有する内枠部と、
前記内枠部の背面側に配されて前記遊技盤の背面に接触して前記遊技盤の背面側への移動を規制する背面規制部材と、
前記遊技盤の下面に接触して前記遊技盤の荷重を支承すると共に該遊技盤の下方への移動を規制する下側規制部材と、
前記背面規制部材との間に前記遊技盤の厚さに相当する距離を保って前記内枠部の内側に向かって突出し前記遊技盤の前面に接触する前面規制部材と、
前記遊技盤の左側面に接触して左方向の移動を規制する左規制部材と、
前記遊技盤の右側面に接触して右方向の移動を規制する右規制部材
とを備えたことにより、
前記遊技盤を該弾球遊技機の中枠の前面側から前記前面規制部材を避けて前記内枠部内に挿入して前記背面規制部材に押し当てる状態としてから該遊技盤を下方に移動させれば、前記背面規制部材と前記前面規制部材との間に前記遊技盤を嵌め込み、前記遊技盤を前記下側規制部材に支承させ、前記左規制部材に前記遊技盤の左方向の移動を規制させ、前記右規制部材に前記遊技盤の右方向の移動を規制させて前記遊技盤を装着可能とし、
前記装着された遊技盤の背面を前記前面規制部材に向けて押圧する押圧機構であり、
上端側をビスにて固定され下端側を自由端とされた板バネと、
一対の平行面に沿って円柱の一部をそぎ取った形状で前記そぎ取り面に相当する平面部と前記そぎ取りの残部に相当する円弧部とが設けられ、前記円柱の軸を中心にして回転することで前記円弧部を前記板バネに対面させて前記板バネを押圧する押圧位置と前記平面部を前記板バネに対面させて前記板バネに接触しない押圧解除位置とに可変の回転部材と、
前記回転部材に取り付けられたレバーとからなり、
前記レバーを介して前記回転部材を回転操作して前記押圧位置にさせれば、前記回転部材によって押圧された前記板バネが前記遊技盤の背面を前記前面規制部材に向けて押圧し、
前記レバーを介して前記回転部材を回転操作して前記押圧解除位置にさせれば、前記板バネによる前記遊技盤の背面に対する押圧が解除される
押圧機構
を設けたことを特徴とする弾球遊技機の中枠。
【発明の詳細な説明】
【０００１】
【発明の属する技術分野】
本発明は、弾球遊技機の中枠に関する。
【０００２】
【従来の技術】
従来、弾球遊技機にあっては、長方形の外枠、その外枠に開閉揺動可能に取り付けられた前面枠が設けられていた。そして、前面枠の下部に発射装置が取り付けられ、遊技盤は遊技盤取付枠を介して前面枠に保持されていた。また、遊技盤の背面側に取り付けられた機構盤には、賞球タンク、賞球払出装置、賞球通路等が取り付けられていた。つまり、遊技盤を遊技盤取付枠と機構盤とによってサンドイッチ状態として、これらを前面枠が支持する構造であった。
【０００３】
ところが、このようないわば多層構造であると構造自体が複雑となってしまうため、一体化されたプラスチック成形品であって従来の前面枠、遊技盤取付枠および機構盤の機能を持つ中枠の使用が提案されている。なお、一体化されているプラスチック成形品とは、必ずしも一体成形を言うわけではなく、例えば接着等により一体物とされている場合を含む概念である。
【０００４】
【発明が解決しようとする課題】
この中枠の採用は、弾球遊技機の内部の枠構成を簡略とし、組立などに要する工程や工数も削減されるという優れた効果を発揮したが、中枠と遊技盤との連結構造自体は従来と変わることがなかった。
【０００５】
本発明の目的は、一体的な構造の中枠の利点をさらに向上させることにあり、詳しくは弾球遊技機の組立工程の簡略化や組立工数の削減が可能な中枠を提供することにある。
【０００６】
【課題を解決するための手段】
上記課題を解決するための手段として、請求項１記載の構成を採用できる。この請求項１の弾球遊技機の中枠は、前記遊技盤の高さを上回る縦長と前記遊技盤の巾以上の横長とを有する内枠部、前記内枠部の背面側に配されて前記遊技盤の背面に接触して前記遊技盤の背面側への移動を規制する背面規制部材、前記遊技盤の下面に接触して前記遊技盤の荷重を支承すると共に該遊技盤の下方への移動を規制する下側規制部材、前記背面規制部材との間に前記遊技盤の厚さに相当する距離を保って前記内枠部の内側に向かって突出し前記遊技盤の前面に接触する前面規制部材、前記遊技盤の左側面に接触して左方向の移動を規制する左規制部材及び前記遊技盤の右側面に接触して右方向の移動を規制する右規制部材を前記一体化されているプラスチック成形品の一部として備えたことにより、前記遊技盤を該弾球遊技機の中枠の前面側から前記前面規制部材を避けて前記内枠部内に挿入して前記背面規制部材に押し当てる状態としてから該遊技盤を下方に移動させれば、前記背面規制部材と前記前面規制部材との間に前記遊技盤を嵌め込み、前記遊技盤を前記下側規制部材に支承させ、前記左規制部材に前記遊技盤の左方向の移動を規制させ、前記右規制部材に前記遊技盤の右方向の移動を規制させて前記遊技盤を装着することができる。
【０００７】
遊技盤を中枠の前側から内枠部内に挿入して落とし込むだけで、遊技盤は、背面規制部材と前面規制部材とにより軸方向（前後方向）の移動を規制され、下側規制部材により下方への移動を規制され、左規制部材と右規制部材とにより左右方向の移動を規制されて、中枠に装着されるので、装着は容易である。
【０００８】
なお、内枠部自体が左又は右規制部材を兼ねてもよく、こうすれば構造の一層の単純化が図れる。
【００１１】
また、請求項１の弾球遊技機の中枠には、装着された遊技盤の背面を前面規制部材に向けて押圧する押圧機構を設けてある。その押圧機構は、上端側をビスにて固定され下端側を自由端とされた板バネと、一対の平行面に沿って円柱の一部をそぎ取った形状で前記そぎ取り面に相当する平面部と前記そぎ取りの残部に相当する円弧部とが設けられ、前記円柱の軸を中心にして回転することで前記円弧部を前記板バネに対面させて前記板バネを押圧する押圧位置と前記平面部を前記板バネに対面させて前記板バネに接触しない押圧解除位置とに可変の回転部材と、前記回転部材に取り付けられたレバーとからなり、
前記レバーを介して前記回転部材を回転操作して前記押圧位置にさせれば、前記回転部材によって押圧された前記板バネが前記遊技盤の背面を前記前面規制部材に向けて押圧し、前記レバーを介して前記回転部材を回転操作して前記押圧解除位置にさせれば、前記板バネによる前記遊技盤の背面に対する押圧が解除される構成であるので、押圧機構にて遊技盤の背面を押圧し、遊技盤の前面を前面規制部材に確実に接触させて遊技盤の前面の位置を確実に規定できる。
【００１２】
弾球遊技機においては、発射された遊技球が正確に遊技盤面に到達することが肝心で、そのためには遊技球の発射直後の方向を規制する発射レールとその後の軌道を形成する円弧状のガイドレールとの位置関係がきわめて重要になる。普通、発射レールは中枠の前面側に装着され、ガイドレールは遊技盤の前面に装着されるから、発射レールとガイドレールとの位置関係を正確にするには、中枠と遊技盤の前面との相対位置を正確にすることが必要となる。
【００１３】
この請求項１の構成によれば、押圧機構によって遊技盤を前面側に押圧して遊技盤の前面を前面規制部材に押し当てることになるから、前面規制部材の遊技盤に当たる面の位置を正確にしておきさえすれば、中枠と遊技盤の前面との相対位置を正確に保持できる。よって、発射レールとガイドレールとの位置関係も正確になり、発射された遊技球の軌道も良好となる。
【００１４】
【発明の実施の形態】
次に、本発明の好適な一具体例にしたがって発明の実施の形態を説明する。
【００１５】
【具体例】
図１に示すように、弾球遊技機としてのパチンコ機１０は、可変図柄表示装置１２、可変図柄表示装置１２を始動させる始動入賞口１４、大当たり時に開放される大入賞口１６、普通入賞口１８、風車２０、アウト球を排出するためのアウト穴２１等を有する周知の遊技盤２２を備えている。
【００１６】
遊技盤２２の前面側は、ほぼ全体がプラスチック製のガラス保持枠２４に保持される二重の透明板２６で覆われており、遊技盤２２と透明板２６との間に遊技領域２８が形成されている。また、ガラス保持枠２４は、全体がプラスチック製の中枠３０に開閉自在に装着されており、中枠３０の上部にはいわゆる大当り状態が発生した際に点灯する大当りランプ３２が組み付けられている。
【００１７】
また、図１および図４に示すように、中枠３０は、上辺３４ａが木製で他の３辺がプラスチック製の外枠３４により背面側を囲まれて、開閉自在に保持されている。詳しくは、外枠３４の上下隅に設けられたヒンジ金具３６、３６から突出するヒンジピン３６ａが、中枠３０の上下の軸受部３１、３３に挿入されており、中枠３０はヒンジピン３６ａを軸にして揺動、開閉自在である。なお、図１に示すように、中枠３０の図示右側部分には、外枠３４に対して閉鎖されている中枠３０を施錠、解錠し、また中枠３０に対して閉鎖されているガラス保持枠２４を施錠、解錠するための錠３８が装着されている。
【００１８】
図１に示すように、中枠３０の前面側には、ガラス保持枠２４の下方に、上皿４０を有する皿扉４２がヒンジ（図示略）を介して開閉自在に装着されている。上皿４０には、パチンコ機１０内部から排出される遊技球の出口となる上皿出口４４が開口している。この皿扉４２は、通常の使用時には右裏側にてロックされて閉状態に保持され、併せてガラス保持枠２４によって上辺部分を押さえられ開放を防止されている。したがって、皿扉４２を開くには、ガラス保持枠２４を開放し、さらに右裏側のロックを解除する必要がある。
【００１９】
皿扉４２の下方では、下皿４６を有する下皿部材４８が中枠３０の前面側に固着されており、下皿４６には、パチンコ機１０内部から排出される遊技球の出口となる下皿出口５０が開口している。この下皿４６の底部には、スライド板５２が設けられており、スライド板５２をスライドさせて排出穴（図示略）を開放して遊技球を排出できる。また、下皿部材４８には複数の小孔からなるスピーカ面５４が設けられており、スピーカ面５４の裏側には遊技状態に応じて音声を発するスピーカ（図示しない）が装着されている。
【００２０】
さらに、下皿部材４８には、上皿４０から供給される遊技球を遊技領域２８に発射するための発射ソレノイド１１０（図１には示さない、図２参照）を操作する発射ハンドル５６が設置されている。
次に、中枠３０の構造について説明する。
【００２１】
中枠３０はプラスチック成形品で、図４に示されるように一体化されている。また図２、図３、図６および図７に示すように、中枠３０の中央部には、ほぼ台形の窓５８が設けられており、図２に示すようにこの窓５８の外周に沿って内枠部６０が設けられている。
【００２２】
図２に示すように、この内枠部６０の上側はランプ枠６２の下縁６２ａで規定され、右側は右上壁６４および右下壁６５で規定され、左側は左上壁６６および左下壁６８で規定される。また下側は、左下壁６８の下端部に連設する左コーナー部６９、この左コーナー部６９から突出する左下保持部材７０、右下壁６５に連設する右コーナー部７１および右コーナー部７１から突出し左下保持部材７０と対になる右下保持部材７２によって規定される範囲となる。
【００２３】
この内枠部６０では、ランプ枠６２の直下から右上壁６４沿いと左下壁６８沿いまで連続する（ア）面、右下壁６５から右下保持部材７２付近の（イ）面および左下壁６８に沿って左下保持部材７０付近に続く（ウ）面の延長面は互いにほぼ一致する。つまり、俗に言う「面一（つらいち）」であって、中枠３０を水平面に沿って図示のように寝かせた場合には、（ア）面、（イ）面および（ウ）面の高さは一致する。そして、その同じ状態で、（ア）面の左下部分、（ウ）面および（イ）面と窓５８で囲まれる（エ）面は、（ア）面、（イ）面および（ウ）面に対して一段低くなっている。この（エ）面の破線７３ａから破線７３ｂまでの範囲では、（イ）面および（ウ）面とほぼ面一になる仕切板７３が装着される。そして、（エ）面と仕切板７３との間は入賞球の通路となり、仕切板７３の前面側にはアウト球の通路が形成される。
【００２４】
また、（ア）面、左上壁６６および左下壁６８で囲まれる（オ）面も（ア）面、（イ）面および（ウ）面に対して一段低くなっており、（ア）面の左下部分は相対的に前面側に突出している。図３に示すように、中枠３０の背面側では、この部分は相対的に凹陥していて、ハーネス通路７５となっている。
【００２５】
図２、図６および図７に示すように、（ア）面の上部中央やや左よりには、円筒状の上ダボ７４が、（ア）面にほぼ垂直に立設され、（エ）面にも同様の下ダボ７６が立設されている。
また、左上壁６６には、（ア）面側に突出して左上保持部材７８が設けられ、右上壁６４には左上保持部材７８と対をなす右上保持部材８０が設けられている。
【００２６】
図２、図６、図７および図９に示すように、左下保持部材７０、右下保持部材７２、左上保持部材７８、右上保持部材８０は、（ア）面、（イ）面、（ウ）面に対してほぼ垂直となる下規制部７０ａ、７２ａ、７８ａ、８０ａと（ア）面、（イ）面、（ウ）面にほぼ平行な前規制部７０ｂ、７２ｂ、７８ｂ、８０ｂとを備えており、図９に示すように、前規制部７０ｂ、７２ｂ、７８ｂ、８０ｂと（ア）面、（イ）面、（ウ）面との間には遊技盤２２の厚さとほぼ一致する空隙が形成されている。
【００２７】
図２、図６および図７に示すように、ランプ枠６２には、下縁６２ａに立設された軸ピン８６を介して上側規制部材８８が取り付けられている。この上側規制部材８８は軸ピン８６を中心にして、図２および図６に示される位置と図７に示される位置との間で、ほぼ１８０゜の範囲で回動可能である。
【００２８】
図２および図８に示すように、（ア）面と（イ）面との接続部および（ア）面と（ウ）面との接続部には、それぞれ１枚の板バネ９０、９２が、上端側をビスにて固定され下端側を自由端として取り付けられている。これら板バネ９０、９２の背面側には、回転部材９４、９６が配されている。
【００２９】
図８に示すように、一対の平行面に沿って円柱の一部をそぎ取った形状で、一対の平面部Ｆと一対の円弧部Ｃを有している。これら回転部材９４、９６は、回転軸９８を中心にして回転自在で、図８（ａ）のように平面部Ｆを板バネ９０、９２に対面させた状態では、板バネ９０、９２に接触しないが、図８（ｂ）のように円弧部Ｃを板バネ９０、９２に対面させた状態では、板バネ９０、９２に当接してこれを押圧する。
【００３０】
図２に示すように、回転部材９４、９６にはレバー１０２、１０４が取り付けられており、レバー１０２、１０４を介して回転部材９４、９６を回転させることができる。レバー１０２、１０４は図８に示される回転軸９８を中心にして約９０度の範囲で揺動変位可能で、図２および図７に示される上げ位置にされた際にはその軸線は図８に示されるＵ位置になり、図６に示される下げ位置にされた際にはその軸線は図８に示されるＤ位置になる。
【００３１】
図２、図６および図７に示すように、（エ）面の下側は（イ）面を挟んで（カ）面が設けられている。この（カ）面には発射レール１０６が取り付けられ、（キ）面の背面側に設置される発射ソレノイド１１０の打撃部１１２が発射レール１０６の後端と対向している。この発射レール１０６上に載置された遊技球は、遊技球ストッパ１１４によって落下を阻まれ、発射レール１０６の後端部上にとどまる。この遊技球を発射ソレノイド１１０の励磁にともなって前進突出する打撃部１１２によって打撃すれば、その遊技球を発射レール１０６に沿って打ち出すことができる。
【００３２】
なお、図３に示すように、中枠３０の背面側では、この（キ）面に対応する部分は相対的に凹陥していて、発射ソレノイド１１０を収容するための発射ソレノイド収容部１１８が形成されており、ここに発射ソレノイド１１０を収容した際には打撃部１１２は孔１２０から前面側に突出する。このように、中枠３０の背面側に形成されている発射ソレノイド収容部１１８に発射ソレノイド１１０を収容する構成であるので、発射ソレノイド１１０の稼働に伴う振動や騒音はパチンコ機１０の前面側（遊技客側）に伝達されにくい。
【００３３】
図２、図６および図７に示すように、（カ）面の左側にはアウト球を集合部１２２に落下させるための通路１２４が形成されており、集合部１２２では、（エ）面と仕切板７３との間の通路を通過してきた遊技球（入賞球）と通路１２４を通過してきた遊技球（アウト球）が集合され、機外（遊技機設置島）へ排出される。
【００３４】
また中枠３０には、上皿出口４４に接続される上皿導入部１２６や下皿出口５０に接続される下皿導入部１２８が設けられている。
次に、中枠３０の背面側について説明する。
図３に示すように、中枠３０の最上部には賞球用の遊技球を貯留するための賞球タンク１３０、ヒューズ等を収容するヒューズボックス１３２が装着される。図４に示すように、このヒューズボックス１３２と中枠３０本体の（ア）面の裏側に対応する部分との間には空間が形成され、この空間は前述のハーネス通路７５となっている。したがって、このハーネス通路７５内に単独や束にされた電線（ハーネス）を通すことができる。このように相対的に凹陥しているハーネス通路７５であるから、そのために中枠３０の厚みが増加することはない。また、周囲よりも凹陥しているので、このハーネス通路７５上に部品を設置することができ、部品配置エリアを制限することもない。
【００３５】
また、これら賞球タンク１３０、ヒューズボックス１３２の下方には、賞球タンク１３０から排出される遊技球を整列させて導く賞球誘導レール１３４、賞球をカウントして払出すために賞球誘導レール１３４の下流端に接続される払出装置１３６が設置される。さらに、払出装置１３６の下側には賞球誘導樋１３８が装着され、賞球誘導樋１３８の下端は、左下壁６８（図２参照）に沿って形成されている賞球落下樋１４０に接続されている。
【００３６】
このような構造の中枠３０に装着される遊技盤２２の概略構造は図５に示されるとおりである。
この図５に示すように、遊技盤２２はぼぼ矩形で、前面側には発射レール１０６上から発射された遊技球を遊技領域２８に導くための弧状のガイドレール１５０が取り付けられている。
【００３７】
遊技盤２２の左上隅には、上側規制部材８８（図２参照）に対応する位置に上隅切欠１５２が設けられている。この上隅切欠１５２の下方には、左上保持部材７８（図２参照）に対応する位置に左上切欠１５４が設けられ、これと対向する位置には、右上保持部材８０（図２参照）に対応する位置に右上切欠１５６が設けられている。また、遊技盤２２の左下隅には、左コーナー部６９に整合する形状の左下切欠１５８が設けられ、右下隅には、右コーナー部７１に整合する形状の右下切欠１６０が設けられている。
【００３８】
遊技盤２２の裏面の上ダボ７４に対応する位置には、上ダボ７４の径とほぼ等しい巾で上ダボ７４の長さをわずかに上回る深さの上ダボ溝１６２が設けられている。同様に、下ダボ７６に対応する位置には、下ダボ７６の径とほぼ等しい巾で下ダボ７６の（イ）面および（ウ）面からの突出長さをわずかに上回る深さの下ダボ溝１６４が設けられている。さらに、遊技盤２２の裏面には、アウト穴１６６に連設して、遊技球の径を十分に上回る深さのアウト溝１６８が設けられている。
【００３９】
遊技盤２２の高さＨは、中枠３０の内枠部６０の縦長（左下保持部材７０の下規制部７０ａと右下保持部材７２の下規制部７２ａとを結ぶ直線からランプ枠６２の下縁６２ａまでの距離（図２、図６、図７参照）を、ぼぼ上隅切欠１５２の深さＫに相当するだけ下回る。そして、遊技盤２２の高さＨは、下規制部７０ａと下規制部７２ａとを結ぶ直線から上側規制部材８８の下縁までの距離とほぼ一致している。
【００４０】
また、遊技盤２２の巾Ｗａは内枠部６０の横長（右上壁６４〜左上壁６６の距離、右下壁６５〜左下壁６８の距離、図２、図６、図７参照）をわずかに下回り、左下切欠１５８と右下切欠１６０との距離Ｗｂは左コーナー部６９〜右コーナー部７１の距離（図２、図６、図７参照）とほぼ一致している。
【００４１】
この遊技盤２２を中枠３０に装着するには、予めレバー１０２、１０４を介して回転部材９４、９６を回転させて、図８（ａ）の状態にしておく。
そして、図６に示されるように、上隅切欠１５２内に上側規制部材８８を、左上切欠１５４内に左上保持部材７８を、右上切欠１５６内に右上保持部材８０を位置させ、上ダボ溝１６２に上ダボ７４を挿通させ、下ダボ溝１６４に下ダボ７６を挿通させて、遊技２２盤を（ア）面、（イ）面および（ウ）面に押し当てるようにする。このとき遊技盤２２の下辺２２ｂは左下保持部材７０および右下保持部材７２よりも上（ランプ枠６２側）にあり、左下切欠１５８および右下切欠１６０は左コーナー部６９および右コーナー部７１よりも上（ランプ枠６２側）にあり、遊技盤２２と左下保持部材７０、右下保持部材７２、右コーナー部６９および左コーナー部７１とが干渉し合うことはない（図９（ａ）参照）。なお、遊技盤２２の上辺２２ａとランプ枠６２の下縁６２ａとは軽く接触する程度である。
【００４２】
この図６に示される状態から、遊技盤２２を下降させる（上辺２２ａから下辺２２ｂに向かう方向に沿って移動させる）と、左上切欠１５４の上側が左上保持部材７８内に、右上切欠１５６の上側が右上保持部材８０内に、左下切欠１５８と下辺２２ｂとの角部分が左下保持部材７０内に、右下切欠１６０と下辺２２ｂとの角部分が右下保持部材７２内に嵌入する（図９（ｂ）参照）。そして、左下切欠１５８は左コーナー部６９に密接し、右下切欠１６０は右コーナー部７１に密接する。また、上ダボ溝１６２は上ダボ７４との相対位置を変え、下ダボ溝１６４は下ダボ７６との相対位置を変えるが、上ダボ７４は上ダボ溝１６２に挿通し、下ダボ７６は下ダボ溝１６４に挿通したままである。
【００４３】
つづいて、レバー１０２、１０４を上向きに回して回転部材９４、９６を図８（ｂ）に示される状態にすると、回転部材９４、９６が板バネ９０、９２を遊技盤２２に向かって押圧する。この押圧力は、遊技盤２２を前規制部７０ｂ、７２ｂ、７８ｂ、８０ｂに押しつける力として作用する。
【００４４】
さらに、上側規制部材８８を１８０度回転させて、図６に示される状態から図７に示される状態にすると、遊技盤２２は上向き（ランプ枠６２に向かう方法）の移動を規制される。こうして遊技盤２２の装着作業が完了する。これにより、遊技盤２２は、左下切欠１５８と左コーナー部６９との接触、右下切欠１６０と右コーナー部７１との接触、上ダボ溝１６２と上ダボ７４との接触および下ダボ溝１６４と下ダボ７６との接触により、左右方向（遊技盤２２の盤面に沿う方向）の移動を規制される。なお、左下切欠１５８と左コーナー部６９との接触、右下切欠１６０と右コーナー部７１との接触は、遊技盤２２の下方への移動（発射レール１０６側への移動）も規制している。
【００４５】
また（ア）面、（イ）面および（ウ）面と左上保持部材７８（前規制部７８ｂ）、右上保持部材８０（前規制部８０ｂ）、左下保持部材７０（前規制部７０ｂ）および右下保持部材７２（前規制部７２ｂ）により前後方向（遊技盤２２の厚さ方向）の移動を規制されているが、回転部材９４、９６および板バネ９０、９２による押圧力によって前規制部７０ｂ、７２ｂ、７８ｂ、８０ｂに押しつけられることにより、特に遊技面の位置を正確にされる。この遊技盤２２の前面の位置が正確になると、発射レール１０６と遊技盤２２の前面との相対位置も正確に確保されるので、発射レール１０６とガイドレール１５０との位置関係も正確になり、発射された遊技球の軌道も良好となる。
【００４６】
さらに、遊技盤２２は、左上保持部材７８（下規制部７８ａ）、右上保持部材８０（下規制部８０ａ）、左下保持部材７０（下規制部７０ａ）および右下保持部材７２（下規制部７２ａ）により下方への移動を規制され、上側規制部材８８により上方への移動を規制される。
【００４７】
こうして遊技盤２２は、前後、左右、上下の移動を規制され、中枠３０に対する相対位置を固定される。
このように、遊技盤２２を前面側から中枠３０に挿入して（ア）面、（イ）面、（ウ）面に押し当ててから、下に移動させるだけでも、遊技盤２２を中枠３０に装着できる。したがって、遊技盤２２を固定するために圧締等の機械的な締付を必要としない。締付のための可動部材を含む機械的な構造が不要となるので、中枠３０自体の構造は単純となり、パチンコ機の組立工程の簡略化や組立工数の削減が可能となる。
【００４８】
そして、回転部材９４、９６と板バネ９０、９２との働きにより遊技盤２２の前面の位置を正確なのものとできるので、発射レール１０６とガイドレール１５０との位置関係も正確になり、発射された遊技球の軌道も良好となる。
また、パチンコ機１０が立っている状態なら、遊技盤２２は、その自重により上方へは移動しないのであるが、製造時、運搬時、取付時等などにパチンコ機１０の姿勢が変化することがあり、その場合には遊技盤２２の自重だけでは上方（ランプ枠６２側）への移動を規制できない。そこで上側規制部材８８を設けておけば、パチンコ機１０がいかなる姿勢をとっても、遊技盤２２の上方（ランプ枠６２側）への移動を規制できる。
【００４９】
以上、具体例に従って、本発明の実施の形態について説明したが、本発明はこのような具体例に限定されるものではなく、本発明の要旨を逸脱しない範囲でさまざまに実施できることは言うまでもない。
【００５０】
【発明の効果】
以上説明したように、請求項１の弾球遊技機の中枠は、遊技盤を中枠の前側から内枠部内に挿入して落とし込むだけで、遊技盤は、背面規制部材と前面規制部材とにより軸方向（前後方向）の移動を規制され、下側規制部材により下方への移動を規制され、左規制部材と右規制部材とにより左右方向の移動を規制されて、中枠に装着されるので、装着は容易である。よって、弾球遊技機の組立工程の簡略化や組立工数の削減が可能となる。
また、押圧機構を備えたことにより、発射レールとガイドレールとの位置関係を正確にできるから、発射された遊技球の軌道も良好となる。
【図面の簡単な説明】
【図１】  具体例のパチンコ機の正面図である。
【図２】  具体例のパチンコ機の中枠の正面図である。
【図３】  具体例のパチンコ機の中枠の背面図である。
【図４】  具体例のパチンコ機の中枠の側面図である。
【図５】  具体例のパチンコ機の遊技盤の正面図である。
【図６】  具体例のパチンコ機の中枠に遊技盤を装着する手順の説明図である。
【図７】  具体例のパチンコ機の中枠に遊技盤を装着する手順の説明図である。
【図８】  具体例のパチンコ機の中枠における板バネの説明図であり、図８（ａ）は回転部材が接触していない状態の説明図、図８（ｂ）は回転部材によって押圧されている状態の説明図である。
【図９】  具体例のパチンコ機の中枠における左上保持部材、右上保持部材、左下保持部材および右下保持部材と遊技盤との相対位置の説明図であり、図９（ａ）は遊技盤を嵌入させる前の状態の説明図、図９（ｂ）は遊技盤を嵌入させた状態の説明図である。
【符号の説明】
１０・・・パチンコ機（弾球遊技機）、２２・・・遊技盤、２４・・・ガラス保持枠、２６・・・透明板、２８・・・遊技領域、３０・・・中枠、３１、３３・・・軸受部、３４・・・外枠、３６・・・ヒンジ金具、３６ａ・・・ヒンジピン、４０・・・上皿、４６・・・下皿、５６・・・発射ハンドル、５８・・・窓、６０・・・内枠部（背面規制部材）、６２・・・ランプ枠、６４・・・右上壁、６５・・・右下壁、６６・・・左上壁、６８・・・左下壁、６９・・・左コーナー部（下側規制部材、左右規制部材）、７０・・・左下保持部材（下側規制部材、前面規制部材）、７０ａ、７２ａ、７８ａ、８０ａ・・・下規制部（下側規制部材）、７０ｂ、７２ｂ、７８ｂ、８０ｂ・・・前規制部（前面規制部材）、７１・・・右コーナー部（下側規制部材、左右規制部材）、７２・・・右下保持部材（下側規制部材、前面規制部材）、７４・・・上ダボ（ダボ、左右規制部材）、７５・・・ハーネス通路、７６・・・下ダボ（ダボ、左右規制部材）、７８・・・左上保持部材（下側規制部材、前面規制部材）、８０・・・右上保持部材（下側規制部材、前面規制部材）、８８・・・上側規制部材、９０、９２・・・板バネ（押圧機構）、９４、９６・・・回転部材（押圧機構）、１０２、１０４・・・レバー（押圧機構）、１０６・・・発射レール、１１０・・・発射ソレノイド（発射装置）、１１８・・・発射ソレノイド収容部、１３０・・・賞球タンク、１３２・・・ヒューズボックス、１３４・・・賞球誘導レール、１３６・・・払出装置（遊技球払出装置）、１３８・・・賞球誘導樋、１４０・・・賞球落下樋、１５０・・・ガイドレール、１５２・・・上隅切欠、１５４・・・左上切欠、１５６・・・右上切欠、１５８・・・左下切欠、１６０・・・右下切欠、１６２・・・上ダボ溝（ダボ溝）、１６４・・・下ダボ溝（ダボ溝）、１６６・・・アウト穴、（ア）、（イ）、（ウ）・・・面（背面規制部材）。
【図１】
0004296309.tif 000002
【図２】
0004296309.tif 000003
【図３】
0004296309.tif 000004
【図４】
0004296309.tif 000005
【図５】
0004296309.tif 000006
【図６】
0004296309.tif 000007
【図７】
0004296309.tif 000008
【図８】
0004296309.tif 000009
【図９】
0004296309.tif 000010